(57)【要約】【課題】溶接を用いることなく軽量気泡コンクリートパネルを建物躯体に取り付けることができると共に、アンカーナットの位置ずれを吸収し得る取付金具を提供する。【解決手段】イナズマプレート１０と、パンチングプレート３０と、から取付金具８を構成する。イナズマプレート１０には突起１６を設け、パンチングプレート３０には突起１６が係合可能な複数の孔３４ａを有する延在部３４を設ける。イナズマプレート１０はアンカーボルトＡＢＬＴにより軽量気泡コンクリートパネル１に仮締めされる。パンチングプレート３０はＬ字型定規アングル２にボルト締結される。そして、突起１６を複数の孔３４ａのいずれかに係合させた状態でアンカーボルトＡＢＬＴを本締めすることにより、軽量気泡コンクリートパネル１とイナズマプレート１０との間にＬ字型定規アングル２が挟まれた状態で、軽量気泡コンクリート１がコンクリート躯体４へ取り付けられる。【選択図】図１
2015214850.tif 000002
【特許請求の範囲】
【請求項１】
下地鋼材が固定された建物躯体に軽量気泡コンクリートパネルを取り付けるための取付金具であって、
長手方向を有し、該長手方向の一方側には該長手方向に沿って延在する長孔が形成され、前記長手方向の他方側には突起を有するプレート部材と、
前記突起が係合可能な複数の孔を有していると共に、前記下地鋼材に一体にされたパンチング部材と、
を備え、
前記プレート部材の前記長孔に挿通されるアンカーボルトによって前記プレート部材の前記長手方向の一方側が前記軽量気泡コンクリートパネルに締め付け固定されると共に、前記プレート部材の前記突起が前記パンチング部材の前記複数の孔のいずれかに係合されることによって前記プレート部材の前記長手方向の他方側が前記パンチング部材を介して前記下地鋼材に固定されるよう構成されている
取付金具。
【請求項２】
前記パンチング部材は、ボルトを挿通可能な挿通孔を有しており、該挿通孔に挿通される前記ボルトによって前記下地鋼材に取り付け固定されるよう構成されている請求項１に記載の取付金具。
【請求項３】
前記挿通孔は、前記複数の孔のいずれかにより構成されている請求項２に記載の取付金具。
【請求項４】
前記パンチング部材は、前記挿通孔を有すると共に前記下地鋼材に当接するよう構成された当接部と、該当接部が前記下地鋼材に当接された際に該下地鋼材に対して所定距離離間するよう前記当接部に段差をもって連続形成された離間部と、を備えており、
該離間部に設けられた前記複数の孔のいずれかに前記プレート部材の前記突起が係合されるよう構成されている
請求項２または３に記載の取付金具。
【請求項５】
前記プレート部材は、前記長孔の長軸線を挟んで両側に前記突起を有するよう構成されている請求項１ないし４のいずれか１項に記載の取付金具。
【請求項６】
前記離間部は、前記当接部を挟んで該当接部の両側に設けられるよう構成されている請求項４または請求項４に係る請求項５に記載の取付金具。
【請求項７】
下地鋼材が固定された建物躯体に取付金具を用いて軽量気泡コンクリートパネルを取り付ける取付構造であって、
前記取付金具は、
長手方向を有し、該長手方向の一方側には該長手方向に長軸を有する長孔が形成され、前記長手方向の他方側には突起を有するプレート部材と、
前記突起が係合可能な複数の孔を有していると共に、前記下地鋼材に一体にされたパンチング部材と、
を備え、
前記プレート部材の前記長孔に挿通されるアンカーボルトによって前記プレート部材の前記長手方向の一方側を前記軽量気泡コンクリートパネルに締め付け固定すると共に、前記プレート部材の前記突起を前記パンチング部材の前記複数の孔のいずれかに係合することによって前記パンチング部材を介して前記プレート部材の前記長手方向の他方側を前記下地鋼材に固定することにより、前記プレート部材と前記軽量気泡コンクリートパネルとの間に前記下地鋼材が挟まれた状態で前記軽量気泡コンクリートパネルを前記建物躯体に取り付け固定する
取付構造。
【請求項８】
下地鋼材が固定された建物躯体に取付金具を用いて軽量気泡コンクリートパネルを取り付ける取付方法であって、
前記取付金具は、
長手方向を有し、該長手方向の一方側には該長手方向に長軸を有する長孔が形成され、前記長手方向の他方側には突起を有するプレート部材と、
前記突起が係合可能な複数の孔を有していると共に、前記下地鋼材に一体にされたパンチング部材と、
を備えており、
（ａ）前記プレート部材の前記長孔に挿通されるアンカーボルトによって前記プレート部材の前記長手方向の一方側を前記軽量気泡コンクリートパネルに仮締めし、
（ｂ）前記プレート部材の前記突起を前記パンチング部材の前記複数の孔のいずれかに係合することによって、前記パンチング部材を介して前記プレート部材の前記長手方向の他方側を前記下地鋼材に固定し、
（ｃ）前記アンカーボルトを本締めすることによって、前記プレート部材と前記軽量気泡コンクリートパネルとの間に前記下地鋼材が挟まれた状態で前記軽量気泡コンクリートパネルを前記建物躯体に取り付け固定する
取付方法。
【発明の詳細な説明】
【技術分野】
【０００１】
本発明は、軽量気泡コンクリートパネルを建物躯体に取り付けるための用取付金具に関する。
【背景技術】
【０００２】
特開平６−４４８３４号公報（特許文献１）には、定規アングルを介して軽量気泡コンクリートパネルを建物躯体に取り付けるための取付金具が記載されている。当該取付金具の長手方向の一方側には、アンカーボルトを挿通するための長孔が形成されており、長手方向の他方側には、半球形状の突起が突設されている。当該取付金具は、長孔に挿通されるアンカーボルトによって長手方向の一方側が軽量気泡コンクリートパネルに締め付け固定されると共に、突起が定規アングルに形成された嵌合孔に嵌合されることによって長手方向の他方側が定規アングルに固定される。これにより、当該取付金具と軽量気泡コンクリートパネルとの間に定規アングルを挟み込んだ状態で、軽量気泡コンクリートパネルが建物躯体に取り付けられる。当該取付金具は、突起を定規アングルに溶接により固定する必要がないため、溶接を用いることができない部位や環境においても適用できる。
【先行技術文献】
【特許文献】
【０００３】
【特許文献１】特開平６−４４８３４号公報
【発明の概要】
【発明が解決しようとする課題】
【０００４】
ところで、軽量気泡コンクリートパネルの製造は、一般的に、パネル製造用の型内部にアンカーナット付きの補強鉄筋を設置した状態で型内に軽量気泡コンクリートスラリーを注入することにより行われるが、当該製造方法においては、補強鉄筋が位置ずれしてアンカーナットの位置ずれを生じる場合がある。上述した取付金具では、当該アンカーナットの位置ずれが定規アングルの長手方向に沿う方向に生じた場合には、取付金具をアンカーナットの位置ずれ方向に移動させることにより、取付金具の突起を定規アングルの嵌合孔に嵌合することができるが、アンカーナットの位置ずれが定規アングルの長手方向に直交する方向に生じた場合には、取付金具の突起を定規アングルの嵌合孔に嵌合することができなくなってしまう。
【０００５】
本発明は、上記に鑑みてなされたものであり、溶接を用いることなく軽量気泡コンクリートパネルを建物躯体に取り付けることができると共に、アンカーナットの位置ずれを吸収し得る取付金具を提供することを目的とする。
【課題を解決するための手段】
【０００６】
本発明の取付金具および取付構造並びに取付方法は、上述の目的を達成するために以下の手段を採った。
【０００７】
本発明に係る取付金具の好ましい形態によれば、下地鋼材が固定された建物躯体に軽量気泡コンクリートパネルを取り付けるための取付金具が構成される。当該取付金具は、プレート部材と、パンチング部材と、を備えている。プレート部材は、長手方向を有し、当該長手方向の一方側に長手方向に沿って延在する長孔が形成され、長手方向の他方側には突起を有している。パンチング部材は、突起が係合可能な複数の孔を有していると共に、下地鋼材に一体にされている。そして、当該取付金具は、プレート部材の長孔に挿通されるアンカーボルトによってプレート部材の長手方向の一方側が軽量気泡コンクリートパネルに締め付け固定されると共に、プレート部材の突起がパンチング部材の複数の孔のいずれかに係合されることによってプレート部材の長手方向の他方側がパンチング部材を介して下地鋼材に固定されるように構成されている。ここで、本発明における「パンチング部材」は、典型的には、複数の孔を有するパンチングプレートがこれに該当するが、下地鋼材自体に複数の孔を直接形成する構成の場合には、下地鋼材のうち当該複数の孔が形成された部分が該当する。なお、「パンチング部材」としてパンチングプレートを用いる構成の場合、本発明における「下地鋼材に一体にされている」とは、パンチングプレートをボルト等の締結部材によって下地鋼材に一体的に取り付けられる態様が該当する。
【０００８】
本発明によれば、アンカーボルトによってプレート部材の長手方向の一方側が軽量気泡コンクリートパネルに締め付け固定されると共に、突起を複数の孔のいずれかに係合することによってプレート部材の長手方向の他方側がパンチングプレートを介して下地鋼材に固定される構成であるため、溶接を用いることなく軽量気泡コンクリートパネルを建物躯体に取り付けることができる。しかも、パンチング部材が、複数の孔を有する構成であるため、軽量気泡コンクリートパネルに埋設されたアンカーナットに位置ずれが生じても、パンチングプレートに形成された複数の孔のいずれかにプレート部材の突起を係合させることができ、アンカーナットの位置ずれを吸収することができる。
【０００９】
本発明に係る取付金具の更なる形態によれば、パンチング部材は、ボルトを挿通可能な挿通孔を有しており、当該挿通孔に挿通されるボルトによって下地鋼材に取り付け固定されるように構成されている。
【００１０】
本形態によれば、パンチング部材をボルトによって下地鋼材に取り付け固定する構成であるため、取付に際して熟練を要しないし、接着剤を用いて取り付け固定する場合のように接着面の油分や汚れの除去を行う手間も必要がない。
【００１１】
本発明に係る取付金具の更なる形態によれば、挿通孔は、複数の孔のいずれかにより構成されている。
【００１２】
本形態によれば、ボルトを挿通するためのみの専用の孔を設ける必要がない。
【００１３】
本発明に係る取付金具の更なる形態によれば、パンチング部材は、挿通孔を有すると共に下地鋼材に当接するように構成された当接部と、当該当接部が下地鋼材に当接された際に下地鋼材に対して所定距離離間するように当接部に段差をもって連続形成された離間部と、を備えている。そして、当該取付金具は、離間部に設けられた複数の孔のいずれかにプレート部材の突起が係合されるように構成されている。
【００１４】
本形態によれば、パンチング部材が下地鋼材に固定された際に、離間部が下地鋼材に対して所定距離離間する構成であるため、プレート部材の突起をパンチング部材から所定量突出させた状態で孔と係合させることができる。これにより、突起を孔に対して十分な掛かり代をもって係合させることができ、プレート部材をパンチング部材に確実かつ安定して取り付け固定することができる。この結果、地震発生時などに建物躯体に層間変形が生じた場合にでも、軽量気泡コンクリートパネルを良好にロッキングさせることができる。
【００１５】
本発明に係る取付金具の更なる形態によれば、プレート部材は、長孔の長軸線を挟んで両側に前記突起を有するように構成されている。
【００１６】
本形態によれば、プレート部材の長孔の長軸線を挟んで両側の二箇所において突起を孔に係合させる構成であるため、プレート部材をパンチング部材により確実かつより安定して取り付け固定することができる。これにより、軽量気泡コンクリートパネルをより安定してロッキングさせることができる。
【００１７】
プレート部材が長孔の長軸線を挟んで両側に突起を有する態様の本発明に係る取付金具の更なる形態によれば、離間部が、突起に対応して当接部を挟んで当該当接部の両側に設けられるように構成されている。
【００１８】
本形態によれば、離間部が一つしか有さない構成に比べて、突起が係合可能な孔をより多く設けることができる。これにより、アンカーナットの位置ずれをより効果的に吸収することができる。
【００１９】
本発明に係る取付構造の好ましい形態によれば、下地鋼材が固定された建物躯体に取付金具を用いて軽量気泡コンクリートパネルを取り付ける取付構造が構成される。取付金具は、プレート部材とパンチング部材と、を備えている。プレート部材は、長手方向を有し、当該長手方向の一方側には長手方向に長軸を有する長孔が形成され、長手方向の他方側には突起を有している。また、パンチング部材は、突起が係合可能な複数の孔を有していると共に下地鋼材に一体にされている。当該取付構造では、プレート部材の長孔に挿通されるアンカーボルトによってプレート部材の長手方向の一方側を軽量気泡コンクリートパネルに締め付け固定すると共に、プレート部材の突起をパンチング部材の複数の孔のいずれかに係合することによってパンチング部材を介してプレート部材の長手方向の他方側を下地鋼材に固定する。これにより、プレート部材と軽量気泡コンクリートパネルとの間に下地鋼材が挟まれた状態で軽量気泡コンクリートパネルを建物躯体に取り付け固定する。ここで、本発明における「パンチング部材」は、典型的には、複数の孔を有するパンチングプレートがこれに該当するが、下地鋼材自体に複数の孔を直接形成する構成の場合には、下地鋼材のうち当該複数の孔が形成された部分が該当する。なお、「パンチング部材」としてパンチングプレートを用いる構成の場合、本発明における「下地鋼材に一体にされている」とは、パンチングプレートをボルト等の締結部材によって下地鋼材に一体的に取り付けられる態様が該当する。
【００２０】
本発明によれば、アンカーボルトによってプレート部材の長手方向の一方側が軽量気泡コンクリートパネルに締め付け固定されると共に、突起を複数の孔のいずれかに係合することによってプレート部材の長手方向の他方側がパンチングプレートを介して下地鋼材に固定される構成であるため、溶接を用いることなく軽量気泡コンクリートパネルを建物躯体に取り付けることができる。しかも、パンチング部材が、複数の孔を有する構成であるため、軽量気泡コンクリートパネルに埋設されたアンカーナットに位置ずれが生じても、パンチングプレートに形成された複数の孔のいずれかにプレート部材の突起を係合させることができ、アンカーナットの位置ずれを吸収することができる。
【００２１】
本発明に係る取付方法の好ましい形態によれば、下地鋼材が固定された建物躯体に取付金具を用いて軽量気泡コンクリートパネルを取り付ける取付構造が構成される。取付金具は、プレート部材とパンチング部材と、を備えている。当該取付方法では、プレート部材の長孔に挿通されるアンカーボルトによってプレート部材の長手方向の一方側を軽量気泡コンクリートパネルに仮締めする。次に、プレート部材の突起をパンチング部材の複数の孔のいずれかに係合することによって、パンチング部材を介してプレート部材の長手方向の他方側を下地鋼材に固定する。そして、アンカーボルトを本締めすることによって、プレート部材と軽量気泡コンクリートパネルとの間に下地鋼材が挟まれた状態で軽量気泡コンクリートパネルを建物躯体に取り付け固定する。ここで、本発明における「パンチング部材」は、典型的には、複数の孔を有するパンチングプレートがこれに該当するが、下地鋼材自体に複数の孔を直接形成する構成の場合には、下地鋼材のうち当該複数の孔が形成された部分が該当する。なお、「パンチング部材」としてパンチングプレートを用いる構成の場合、本発明における「下地鋼材に一体にされている」とは、パンチングプレートをボルト等の締結部材によって下地鋼材に一体的に取り付けられる態様が該当する。
【００２２】
本発明によれば、アンカーボルトによってプレート部材の長手方向の一方側が軽量気泡コンクリートパネルに締め付け固定されると共に、突起を複数の孔のいずれかに係合することによってプレート部材の長手方向の他方側がパンチングプレートを介して下地鋼材に固定される構成であるため、溶接を用いることなく軽量気泡コンクリートパネルを建物躯体に取り付けることができる。しかも、パンチング部材が、複数の孔を有する構成であるため、軽量気泡コンクリートパネルに埋設されたアンカーナットに位置ずれが生じても、パンチングプレートに形成された複数の孔のいずれかにプレート部材の突起を係合させることができ、アンカーナットの位置ずれを吸収することができる。
【発明の効果】
【００２３】
本発明によれば、溶接を用いることなく軽量気泡コンクリートパネルを建物躯体に取り付けることができると共に、アンカーナットの位置ずれを吸収し得る取付金具を提供することができる。
【図面の簡単な説明】
【００２４】
【図１】本発明の実施の形態に係る取付金具８を用いて軽量気泡コンクリートパネル１をＬ字型定規アングル２を介してコンクリート躯体４に取り付け固定した状態を示す斜視図である。
【図２】図１のＡ−Ａ断面を示す断面図である。
【図３】イナズマプレート１０の正面図である。
【図４】イナズマプレート１０を図３の矢印Ｂから見た矢視図である。
【図５】イナズマプレート１０の側面図である。
【図６】パンチングプレート３０の外観を示す斜視図である。
【図７】変形例のパンチングプレート１３０の外観を示す斜視図である。
【図８】変形例のパンチングプレート２３０の外観を示す斜視図である。
【図９】変形例のパンチングプレート３３０の外観を示す斜視図である。
【図１０】変形例の取付金具４０８を用いて軽量気泡コンクリートパネル１をＬ字型定規アングル２を介してコンクリート躯体４に取り付け固定した状態を示す斜視図である。
【図１１】変形例のイナズマプレート１１０の外観を示す斜視図である。
【図１２】変形例のイナズマプレート２１０の外観を示す斜視図である。
【図１３】変形例のイナズマプレート３１０の外観を示す斜視図である。
【発明を実施するための形態】
【００２５】
次に、本発明を実施するための形態を実施例を用いて説明する。
【００２６】
本発明の実施の形態に係る取付金具８は、図１および図２に示すように、イナズマプレート１０と、パンチングプレート３０と、を備えており、Ｌ字型定規アングル２を介してコンクリートスラブ面や布基礎天端を構成するコンクリート躯体４に軽量気泡コンクリートパネル１を取り付ける金物として構成されている。なお、本実施の形態では、軽量気泡コンクリートパネル１は、パネル製造用の型内部にアンカーナット付きの補強鉄筋を設置した状態で型内に軽量気泡コンクリートスラリーを注入することにより製造される構成とした。取付金具８は、本発明における「取付金具」に対応し、軽量気泡コンクリートパネル１は、本発明における「軽量気泡コンクリートパネル」に対応し、Ｌ字型定規アングル２は、本発明における「下地鋼材」に対応し、コンクリート躯体４は、本発明における「建物躯体」に対応する実施構成の一例である。また、イナズマプレート１０は、本発明における「プレート部材」に対応し、パンチングプレート３０は、本発明における「パンチング部材」に対応する実施構成の一例である。
【００２７】
イナズマプレート１０は、図１および図５に示すように、長手方向に段差部１１を介して互いに平行に連続して構成された第１部分１２および第２部分１４を備えている。また、イナズマプレート１０は、図３に示すように、絞り加工によって中央部に膨出部１０ａを有するように構成されていると共に、周縁にフランジ部１０ｂが形成されている。このように、中央部に膨出部１０ａを設ける構成とすることにより、イナズマプレート１０の剛性を向上することができる。
【００２８】
イナズマプレート１０の第１部分１２の膨出部１０ａには、図３ないし図５に示すように、長手方向に沿う長孔１２ａが形成されている。また、イナズマプレート１０の第２部分１４のフランジ部１０ｂには、図３ないし図５に示すように、突起１６が形成されている。突起１６は、図３に示すように、長孔１２ａの長軸線Ｌａを挟んで両側のフランジ部１０ｂそれぞれに長手方向に沿って三つ設けられている。なお、本実施の形態では、突起１６は、フランジ部１０ｂに孔を形成した後、当該孔に中実円柱を嵌合することによって形成する構成とした。長孔１２ａは、本発明における「長孔」に対応し、突起１６は、本発明における「突起」に対応する実施構成の一例である。また、突起１６が長孔１２ａの長軸線Ｌａを挟んで両側のフランジ部１０ｂそれぞれに長手方向に沿って三つ設けられている構成は、本発明における「プレート部材は、長孔の長軸線を挟んで両側に突起を有するよう構成されている」に対応する実施構成の一例である。
【００２９】
パンチングプレート３０は、図６に示すように、平面視矩形の平板鋼材により構成されており、長手方向（図６の左右方向）の中央部に配置された取付部３２と、段差部３３を介して当該取付部３２からパンチングプレート３０の長手方向に連続して延在する二つの延在部３４と、を備えている。取付部３２は、本発明における「当接部」に対応し、延在部３４は、本発明における「離間部」に対応する実施構成の一例である。
【００３０】
取付部３２には、図６に示すように、パンチングプレート３０の長手方向に直交する方向（図６の上下方向）に沿って二つのボルト挿通孔３２ａが形成されている。なお、パンチングプレート３０が取り付けられるＬ字型定規アングル２には、ボルト挿通孔３２ａに対応して図示しないボルト挿通孔が形成されている。ボルト挿通孔３２ａは、本発明における「挿通孔」に対応する実施構成の一例である。
【００３１】
延在部３４は、図６に示すように、取付部３２に対して所定距離だけ高い位置に配置されている。言い換えると、パンチングプレート３０が取付部３２において凹んだ形状に形成されているとも言える。また、延在部３４には、複数の孔３４ａが形成されている。なお、所定距離は、イナズマプレート１０の突起１６の突起高さ寸法よりも若干大きい値に設定されている。複数の孔３４ａは、本発明における「複数の孔」に対応する実施構成の一例である。
【００３２】
次に、こうして構成された取付金具８を用いて軽量気泡コンクリートパネル１をコンクリート躯体４に取り付ける際の様子について説明する。まず、図１および図２に示すように、アンカーボルトＡＢＬＴによって軽量気泡コンクリートパネル１にイナズマプレート１０を仮締めすると共に、コンクリート躯体４に固設されたＬ字型定規アングル２にボルトＦＢＬＴによってパンチングプレート３０を取り付け固定する。
【００３３】
このとき、パンチングプレート３０は、当該パンチングプレート３０の長手方向がＬ字型定規アングル２の長手方向に沿った状態でＬ字型定規アングル２に取り付けられる。なお、パンチングプレート３０は、Ｌ字型定規アングル２に取り付けられた状態では、取付部３２がＬ字型定規アングル２に当接され、延在部３４がＬ字型定規アングル２に対して所定距離離間している。
【００３４】
続いて、アンカーボルトＡＢＬＴによってイナズマプレート１０が仮締めされた軽量気泡コンクリートパネル１を、図１および図２に示すように、スペーサＳを介してＬ字型定規アングル２上に設置する。そして、イナズマプレート１０の突起１６をパンチングプレート３０の延在部３４の複数の孔３４ａのいずれかに係合させる。このとき、イナズマプレート１０のパンチングプレート３０に対する掛かり代が大きくなるように突起１６と孔３４ａとを係合させることが好ましい。
【００３５】
最後に、アンカーボルトＡＢＬＴの本締めを行うことにより、軽量気泡コンクリートパネル１とイナズマプレート１０との間にＬ字型定規アングル２が挟まれた状態で、軽量気泡コンクリートパネル１のコンクリート躯体４への取り付け作業が完了する。
【００３６】
以上本発明の実施の形態に係る取付金具８によれば、パンチングプレート３０の延在部３４に突起１６を係合させる孔３４ａを複数形成する構成であるため、軽量気泡コンクリートパネル１の製造時にアンカーナットの位置ずれが生じていたとしても、突起１６を複数の孔３４ａのいずれかに係合させることができる。しかも、突起１６を孔３４ａに係合させることによりパンチングプレート３０を介してイナズマプレート１０をＬ字型定規アングル２に取り付ける構成であるため、溶接を用いることなく軽量気泡コンクリートパネル１をコンクリート躯体４に取り付けることができる。
【００３７】
また、本発明の実施の形態に係る取付金具８によれば、ボルトＦＢＬＴを用いてＬ字型定規アングル２にパンチングプレート３０を取り付ける構成であるため、取り付け作業に熟練した技術を要しないし、接着剤を用いて取り付ける構成のように接着面の油分や汚れを除去する手間も必要ない。
【００３８】
さらに、本発明の実施の形態に係る取付金具８によれば、延在部３４が取付部３２に対して所定距離だけ高い位置に配置されるようにパンチングプレート３０を段付き状に形成する構成であるため、イナズマプレート１０の突起１６を延在部３４の孔３４ａから所定量突出させた状態で孔３４ａに係合させることができる。これにより、突起１６を孔３４ａに対して十分な掛かり代をもって係合させることができ、イナズマプレート１０をパンチングプレート３０に確実かつ安定して取り付け固定することができる。この結果、地震発生時などにコンクリート躯体４に層間変形が生じた場合にでも、軽量気泡コンクリートパネル１を良好にロッキングさせることができる。
【００３９】
また、本発明の実施の形態に係る取付金具８によれば、長孔１２ａの長軸線Ｌａを挟んで両側に設けた突起１６は、取付部３２を挟んで当該取付部３２の両側に設けた各延在部３４の孔３４ａに係合する構成であるため、イナズマプレート１０をパンチングプレート３０により確実かつより安定して取り付け固定することができる。これにより、軽量気泡コンクリートパネル１をより安定してロッキングさせることができる。なお、突起１６は、片側にそれぞれ三つずつ設けられているため、より一層確実かつ安定してイナズマプレート１０をパンチングプレート３０に取り付け固定することができる。また、両側の突起１６に対応して延在部３４を二つ設ける構成であるため、延在部３４が一つの構成に比べて突起１６を係合させることができる孔３４ａをより多く設けることができる。これにより、アンカーナットの位置ずれをより効果的に吸収することができる。
【００４０】
本実施の形態では、パンチングプレート３０の取付部３２に、孔３４ａとは別にボルト挿通孔３２ａを設ける構成としたが、これに限らない。例えば、図７に例示する変形例のパンチングプレート１３０に示すように、パンチングプレート１３０の取付部１３２および延在部１３４の両方に亘って複数の孔１３４ａを設ける構成とし、取付部１３２に設けられた複数の孔１３４ａのいずれかをボルトＦＢＬＴを挿通させるボルト挿通孔として用いる構成としても良い。当該構成によれば、ボルトＦＢＬＴを挿通するためのみの専用の孔を設ける必要がない。
【００４１】
本実施の形態および上述した変形例では、パンチングプレート３０，１３０を段付き状に形成する構成としたが、図８および図９に例示する変形例のパンチングプレート２３０，３３０に示すように、パンチングプレート２３０，３３０は平板状であっても構わない。当該構成によれば、折り曲げ加工を要さないため、パンチングプレート２３０，３３０の製造性を向上することができる。
【００４２】
本実施の形態および上述した変形例では、パンチングプレート３０，１３０，２３０，３３０は、取付部３２，１３２，２３２，３３２を挟んで当該取付部３２，１３２，２３２，３３２の両側に延在部３４，１３４，２３４，３３４を設ける構成としたが、これに限らない。例えば、図１０に例示する変形例のパンチングプレート４３０に示すように、延在部４３４は一つだけ有する構成であっても構わない。この場合、パンチングプレート４３０は、取付部４３２の長手方向（図１０の左右方向）がＬ字型定規アングル２の長手方向に沿った状態でＬ字型定規アングル２に取り付け固定する構成が考えられる。即ち、延在部４３４が軽量気泡コンクリートパネル１側となるようにパンチングプレート４３０をＬ字型定規アングル２に取り付ける構成となる。
【００４３】
本実施の形態および上述した変形例では、イナズマプレート１０は、中央部に膨出部１０ａを有すると共に周縁にフランジ部１０ｂを有するように平板に絞り加工を施し、かつ、長手方向に段差を有する形状に形成する構成としたが、図１１に例示する変形例のイナズマプレート１１０に示すように、イナズマプレート１１０は、単なる平板を長手方向に段差を有するように折り曲げた構成でも構わない。
【００４４】
本実施の形態および上述した変形例では、長孔１２ａの長軸線Ｌａを挟んで両側のフランジ部１０ｂそれぞれに長手方向に沿って三つずつ突起１６を設ける構成としたが、これに限らない。例えば、両側のフランジ部１０ｂそれぞれに各一個ずつ突起１６を設ける構成であっても構わない。なお、軽量気泡コンクリートパネル１を良好にロッキングさせるためには、突起１６は二つ以上設ける構成が望ましい。
【００４５】
本実施の形態および上述した変形例では、突起１６は、フランジ部１０ｂに孔を形成した後に当該孔に中実円柱を嵌合することによって形成する構成としたが、これに限らない。例えば、フランジ部１０ｂを一方側からピンなどにより押圧して他方側に突出させる構成や、図１２および図１３の変形例のイナズマプレート２１０，３１０に示すように、イナズマプレート２１０，３１０の端縁部を折り曲げ加工や切りお越し加工によって突起２１６、３１６を構成しても良い。
【００４６】
本実施形態は、本発明を実施するための形態の一例を示すものである。したがって、本発明は、本実施形態の構成に限定されるものではない。
【符号の説明】
【００４７】
１        軽量気泡コンクリートパネル（軽量気泡コンクリートパネル）
２        Ｌ字型定規アングル（下地鋼材）
４        コンクリート躯体（建物躯体）
８        取付金具（取付金具）
１０      イナズマプレート（プレート部材）
１０ａ    膨出部
１０ｂ    フランジ部
１１      段差部
１２      第１部分
１２ａ    長孔（長孔）
１４      第２部分
１６      突起（突起）
３０      パンチングプレート（パンチング部材）
３２      取付部（当接部）
３２ａ    ボルト挿通孔（挿通孔）
３３      段差部
３４      延在部（離間部）
３４ａ    孔（複数の孔）
１１０    イナズマプレート
１３０    パンチングプレート
１３２    取付部（当接部）
１３２ａ  ボルト挿通孔（挿通孔）
１３３    段差部
１３４    延在部
１３４ａ  孔（複数の孔）
２１０    イナズマプレート（プレート部材）
２１１    段差部
２１２    第１部分
２１２ａ  長孔（長孔）
２１４    第２部分
２１６    突起（突起）
２３０    パンチングプレート（パンチング部材）
２３２    取付部（当接部）
２３２ａ  ボルト挿通孔（挿通孔）
２３３    段差部
２３４    延在部
２３４ａ  孔（複数の孔）
３１０    イナズマプレート（プレート部材）
３１１    段差部
３１２    第１部分
３１２ａ  長孔（長孔）
３１４    第２部分
３１６    突起（突起）
３３０    パンチングプレート（パンチング部材）
３３２    取付部（当接部）
３３２ａ  ボルト挿通孔（挿通孔）
３３３    段差部
３３４    延在部
３３４ａ  孔（複数の孔）
４０８    取付金具（取付金具）
４３０    パンチングプレート（パンチング部材）
４３２    取付部（当接部）
４３２ａ  ボルト挿通孔（挿通孔）
４３４    延在部
ＡＢＬＴ  アンカーボルト
ＦＢＬＴ  ボルト
Ｌａ      長軸線
Ｓ        スペーサ
【図１】
2015214850.tif 000003
【図２】
2015214850.tif 000004
【図３】
2015214850.tif 000005
【図４】
2015214850.tif 000006
【図５】
2015214850.tif 000007
【図６】
2015214850.tif 000008
【図７】
2015214850.tif 000009
【図８】
2015214850.tif 000010
【図９】
2015214850.tif 000011
【図１０】
2015214850.tif 000012
【図１１】
2015214850.tif 000013
【図１２】
2015214850.tif 000014
【図１３】
2015214850.tif 000015